(57)【特許請求の範囲】
【請求項１】
釦本体を操作することにより内部のスイッチ手段を操作可能な押釦装置であって、前記釦本体を装着するパネルと、前記釦本体の裏面に設けられた係合手段と、前記パネルに設けられ前記係合手段が係合される被係合手段と、前記パネルにおける前記スイッチに対応する位置に弾性変形自在に設けられたヒンジと、前記ヒンジの上面に設けられた突部と、前記釦本体の裏面に設けられ前記釦本体を前記パネルに装着した時に前記突部と係合するロック部とを備えたことを特徴とする押釦装置。
【請求項２】
釦本体を操作することにより内部のスイッチ手段を操作可能な押釦装置であって、前記釦本体を装着するパネルと、前記釦本体の裏面に設けられ先端が略Ｌ字状となった係合手段と、前記パネルに設けられ前記係合手段が係合される被係合手段と、前記パネルにおける前記スイッチに対応する位置に弾性変形自在に設けられたヒンジと、前記ヒンジの上面に設けられた突部と、前記釦本体の裏面に設けられ前記釦本体を前記パネルに装着した時に前記突部と係合するロック部とを備え、前記ロック部は前記釦本体の裏面に対して高い部分と低い部分とを有し、前記釦本体を前記パネルに装着時に前記突部が前記ロック部の高い部分に当接し、前記釦本体を前記パネルに保持する時には前記突部が前記ロック部の低い部分に当接することを特徴とする押釦装置。
【発明の詳細な説明】
【０００１】
【発明の属する技術分野】
本発明は、テレビやビデオ等の一般家庭電気製品及びプリンター等の情報機器の操作手段として用いられる押釦装置に関するものである。
【０００２】
【従来の技術】
従来、家庭電気製品及び情報機器等の操作系の釦には、種々の取付け構造が用いられている。その一例として図１０に示すようなものがある。図１０は押釦装置を用いた機器の一つとしてビデオプリンタの構成を示す斜視図である。図１０において、８１はビデオプリンタ本体、８２はビデオプリンタ本体８１の例えば前面部に設けられ各種操作を行う押釦部で、本図においては８２ａ〜８２ｄに示すように上下左右４方向の方向操作を行えるものを示している。８３は記録紙を挿入する給紙部である。以下に、操作部８２の構成について詳述する。
【０００３】
図８は従来の押釦装置における押釦部の構成を示す側面断面図である。図９（ａ）は押釦部の下側に配されたパネルの平面図で、同図（ｂ）は同斜視図である。図において、１は使用者が実際に操作する釦本体、１ｃは釦本体１の裏側に設けられパネル２に係合される爪部で、本構成ではバランスや操作性を鑑みて４カ所設けている。２は釦本体１が装着されるパネル、２ａはパネル２において後述するタクトスイッチ４に対応した位置に回動自在に設けられたヒンジ、２ｃはヒンジ２ａの先端に上方向に突出するよう設けられた突部、２ｄは釦本体１の爪部１ｃが係合する爪孔、３はパネル２の釦本体１で覆われない部分を覆うよう配された飾り銘板、４は釦本体１により押圧操作されるタクトスイッチ、５はタクトスイッチ４が実装されたプリント基板である。
【０００４】
以上のように構成された従来の押釦装置について、以下その動作について説明する。
【０００５】
まず、押釦装置の組立について説明する。釦本体１を矢印Ａ方向から挿入することで、釦本体１の裏面に設けられた爪部１ｃが、パネル２に設けられた爪孔２ｄに係合されて固定される。この時、釦本体１の裏面に設けられた突部１ｄが、パネル２の突部２ｃ上に位置する。また、突部２ｃの裏側にはタクトスイッチ４が位置するようになっている。ここで、ヒンジ２ａ及び突部２ｃは上下左右方向に４ヶ所設けられており、これに対応するように、タクトスイッチ４及び釦本体１の突部１ｄも４ヶ所設けられている。
【０００６】
操作時は、釦本体１を図８に示す矢印Ａ方向から押圧することにより、突部１ｄが突部２ｃを押圧し、ヒンジ２ａがたわむことにより、タクトスイッチ４が押される。
【０００７】
【発明が解決しようとする課題】
しかしながら上記従来の構造では、釦本体１をパネル２に固定する際、その裏面に設けられた爪部１ｃを爪孔２ｄに係合させることにより固定しているため、爪部１ｃに弾性をもたせる必要がある。そのため、爪部１ｃの長さをある程度長くする必要があり、すると釦本体１の表面からパネル２までの長さが長くなり、よって押釦装置全体の厚さが厚くなってしまい、本装置を使用した機器などにおいては大きさが大型化してしまうという問題点があった。
【０００８】
本発明は上記従来の問題点を解決するもので、操作系の釦本体を薄型にし、しいては機器全体を小型化できる押釦装置を提供することを目的とする。
【０００９】
【課題を解決するための手段】
この目的を達成するために本発明の押釦装置は、釦本体を操作することにより内部のスイッチ手段を操作可能な押釦装置であって、前記釦本体を装着するパネルと、前記釦本体の裏面に設けられた係合手段と、前記パネルに設けられ前記係合手段が係合される被係合手段と、前記パネルにおける前記スイッチに対応する位置に弾性変形自在に設けられたヒンジと、前記ヒンジの上面に設けられた突部と、前記釦本体の裏面に設けられ前記釦本体を前記パネルに装着した時に前記突部と係合するロック部とを備えたものである。
【００１０】
このような構成により、操作系の釦本体を薄型にし、しいては機器全体を小型化できる押釦装置が得られる。
【００１１】
【発明の実施の形態】
本発明の請求項１に記載の発明は、釦本体を操作することにより内部のスイッチ手段を操作可能な押釦装置であって、前記釦本体を装着するパネルと、前記釦本体の裏面に設けられた係合手段と、前記パネルに設けられ前記係合手段が係合される被係合手段と、前記パネルにおける前記スイッチに対応する位置に弾性変形自在に設けられたヒンジと、前記ヒンジの上面に設けられた突部と、前記釦本体の裏面に設けられ前記釦本体を前記パネルに装着した時に前記突部と係合するロック部とを備え、このような構成により、操作系の釦本体を薄型にし、しいては機器全体を小型化できる押釦装置が得られる。
【００１２】
また、請求項２に記載の発明は、釦本体を操作することにより内部のスイッチ手段を操作可能な押釦装置であって、前記釦本体を装着するパネルと、前記釦本体の裏面に設けられ先端が略Ｌ字状となった係合手段と、前記パネルに設けられ前記係合手段が係合される被係合手段と、前記パネルにおける前記スイッチに対応する位置に弾性変形自在に設けられたヒンジと、前記ヒンジの上面に設けられた突部と、前記釦本体の裏面に設けられ前記釦本体を前記パネルに装着した時に前記突部と係合するロック部とを備え、前記ロック部は前記釦本体の裏面に対して高い部分と低い部分とを有し、前記釦本体を前記パネルに装着時に前記突部が前記ロック部の高い部分に当接し、前記釦本体を前記パネルに保持する時には前記突部が前記ロック部の低い部分に当接するものであり、このような構成により、操作系の釦本体を薄型にし、しいては機器全体を小型化できる押釦装置が得られる。
【００１３】
以下に本発明の実施の形態について、図面を参照しながら説明する。
（実施の形態１）
図１は本実施の形態における押釦装置の外観構成を示す斜視図、図２は本実施の形態の釦単体の構成を示す斜視図で、同図（ａ）は表面側から見た斜視図、同図（ｂ）は裏面側から見た斜視図である。図３は本実施の形態での釦の取付くパネルの平面図と斜視図である。図４は本実施の形態の押釦装置の側面断面図、図５〜図７は本実施の形態の押釦装置の取付動作を示す斜視図及び側面図である。
【００１４】
図において、１は使用者が実際に操作する釦本体、１ａは釦本体１の裏面に設けられた係合手段である引掛け部で、本実施の形態では対向する位置に２ヶ所設けられている。また、引掛け部１ａは先端が略Ｌ字状となっている。１ｂは釦本体１の裏面に設けられたロック部で、本実施の形態では４ヶ所設けられておりそれぞれ後述するパネル２に設けられた突部２ｃに対応した位置に設けられている。また、このロック部１ｂは図に示すように釦本体１に対して高い部分と低い部分とからなる。２は釦本体１が装着されるパネル、２ａはパネル２の一部であり弾性変形自在に設けられたヒンジで、本実施の形態ではロック部１ｂに対応するように４ヶ所設けられている。２ｂは釦本体１に設けられた引掛け部１ａが係合される被係合手段である引掛け孔、２ｃはヒンジ２ａの先端に上方向に突出するように設けられた突部、３はパネル２において釦本体１により覆われない部分を覆うように配された飾り銘板、４はパネル２の裏面側に配され突部２ｃの裏側に位置するように設けられたスイッチ手段であるタクトスイッチ、５はタクトスイッチ４が実装されたプリント基板である。
【００１５】
以上のように構成された本実施の形態の押釦装置について、以下にその構成について説明する。
【００１６】
まず、組立方法について説明する。
図５に示すような状態から、釦本体１を矢印Ｂ方向に移動させ、釦本体１の引掛け部１ａを、パネル２の引掛け孔２ｂに挿入する。すると、図６に示すような状態になり、この時ロック部１ｂの高い部分（先端部）が、パネル２の突部２ｃに当接している。
【００１７】
この状態から、釦本体１を矢印Ｃ方向に回転させ、引掛け部１ａが引掛け孔２ｂの端部に当接するまで回転させる。引掛け部１ａが引掛け孔２ｂの端部に当接するまで回転させると、図７に示すように、ロック部１ｂの高い部分が突部２ｃから移動し、突部２ｃはロック部１ｂの低い部分に当接する。この時、ヒンジ２ａの弾性復帰力により突部２ｃがロック部１ｂの低い部分を押圧し、釦本体１が押圧されるが、引掛け部１ａは先端が略Ｌ字状となっているため、引掛け部１ａが引掛け孔２ｂに引っかかり、釦本体１はパネル２に保持されることになる。
【００１８】
次に操作方法について説明するが、図４及び図７に示すように、釦本体１を矢印Ｄ方向から押圧することにより、その裏面に設けられたロック部１ｂが、パネル２のヒンジ２ａを押圧し、ヒンジ２ａがたわむ。ヒンジ２ａがたわむと、ヒンジ２ａの裏面側に設けられたタクトスイッチ４が押され、所定の操作が行われ、所定の動作が行われる。
【００１９】
以上のように本実施の形態によれば、釦本体１のパネル２に対する装着を、引掛け部１ａを引掛け孔２ｂに係合し、またヒンジ２ａの弾性復帰力により釦本体１を保持する構成としたので、係合及び保持手段に厚さのある構成を用いないですむものである。
【００２０】
【発明の効果】
以上のように本発明は、釦本体のパネルに対する装着を、引掛け部を引掛け孔に係合し、またヒンジの弾性復帰力により釦本体を保持する構成としたので、係合及び保持手段に厚さのある構成を用いないですみ、押釦装置の小型化ができ、しいては機器の小型化が可能になるという優れた効果を有するものである。
【図面の簡単な説明】
【図１】本発明の実施の形態における押釦装置の構成を示す斜視図
【図２】同実施の形態における押釦装置の構成を示す斜視図
【図３】（ａ）同実施の形態におけるパネルの構成を示す平面図
（ｂ）同実施の形態におけるパネルの構成を示す斜視図
【図４】同実施の形態における押釦装置の構成を示す断面図
【図５】（ａ）同実施の形態における押釦装置の組み立て動作を示す斜視図
（ｂ）同実施の形態における押釦装置の組み立て動作を示す断面図
【図６】（ａ）同実施の形態における押釦装置の組み立て動作を示す斜視図
（ｂ）同実施の形態における押釦装置の組み立て動作を示す断面図
【図７】（ａ）同実施の形態における押釦装置の組み立て動作を示す斜視図
（ｂ）同実施の形態における押釦装置の組み立て動作を示す断面図
【図８】従来の押釦装置の構成を示す断面図
【図９】（ａ）従来の押釦装置におけるパネルの構成を示す正面図
（ｂ）従来の押釦装置におけるパネルの構成を示す斜視図
【図１０】押釦装置を備えたビデオプリンタの構成を示す斜視図
【符号の説明】
１  釦本体
１ａ  引掛け部
１ｂ  ロック部
１ｃ  ツメ部
２  パネル本体
２ａ  ヒンジ部
２ｂ  引掛け孔
２ｃ  ストッパー
２ｄ  ツメ孔
３  飾り銘板
４  タクトスイッチ
【図１】
0003772531.tif 000002
【図２】
0003772531.tif 000003
【図３】
0003772531.tif 000004
【図４】
0003772531.tif 000005
【図５】
0003772531.tif 000006
【図６】
0003772531.tif 000007
【図７】
0003772531.tif 000008
【図８】
0003772531.tif 000009
【図９】
0003772531.tif 000010
【図１０】
0003772531.tif 000011